(57)【要約】【課題】流し等の洗い場で邪魔にならないで随時連続して使える調理器具を洗うための保持具を提供する。【解決手段】鍋、フライパン又は釜などの調理器具の洗浄用保持具を、共に水平状態に置かれる一対のコ字状枠体、これらのコ字状枠体のそれぞれの端部に結合することによってこの一対のコ字状枠体を互いに結合させる棒状の結合部材、前記一対のコ字状枠体のうちの一方のコ字状枠体に結合してこのコ字状枠体を水平に支持する第一の脚状部材、前記結合部材に結合してこの結合部材を水平に支持する第二の脚状部材、及び前記一対のコ字状枠体のうちの他方のコ字状枠体の中央部分に取り付けられた、垂直の壁面に前記他方のコ字状枠体を着脱自在に固定するための吸盤から構成させ、そしてこれらの部材を互いに回動自在に結合させる。【選択図】  図１
0003120303.tif 000002
【実用新案登録請求の範囲】
【請求項１】
調理器具の洗浄用保持具であって、この保持具が、共に水平状態に置かれる一対のコ字状枠体、これらのコ字状枠体のそれぞれの端部に結合することによってこの一対のコ字状枠体を互いに結合させる回動自在の棒状結合部材、前記一対のコ字状枠体のうちの一方のコ字状枠体の端部枠に結合してこのコ字状枠体を水平状態に支持する第一の脚状部材、前記棒状結合部材に結合して一方のコ字状枠体を水平状態に支持する第二の脚状部材、及び前記一対のコ字状枠体のうちの他方のコ字状枠体の中央部分に取り付けられた、垂直の壁面に前記他方のコ字状枠体を着脱自在に固定するための吸盤から構成され、かつ、前記第一の脚状部材が前記一方のコ字状枠体に対して回動自在に取り付けられるとともに、前記第二の脚状部材が前記結合部材に対して回動自在に取り付けられ、そして、前記一方のコ字状枠体が、前記結合部材を介して前記他方のコ字状枠体に対し回動自在に取り付けられていることによって、前記一方のコ字状枠体、前記第一の脚状部材及び前記第二の脚状部材が、いずれも前記他方のコ字状枠体に対して折り畳み可能に、かつ展開可能に形成されていることを特徴とする前記洗浄用保持具。
【請求項２】
前記第一の脚状部材が前記一方のコ字状枠体の中央部分に結合している、請求項１に記載された鍋の洗浄用保持具。
【考案の詳細な説明】
【技術分野】
【０００１】
本発明は、流しなど等の洗い場で鍋、フライパン又は釜などの調理器具を洗う場合に用いられる洗浄用保持具に関するものである。
【背景技術】
【０００２】
従来、かなりの大きさと重量を有する鍋、フライパン又は釜などの調理器具を手で空中に保持しながら台所の流しなどで洗う場合には、これらを保持する手や腕にかなりの疲労が感じられ、また、これらの調理器具を片手で流し等の洗い場の底面又は側面に押しつけながら例えば、束子などを使って洗う場合には、調理器具あるいは洗い場の底面又は側面に傷をつけたり、あるいはこの洗い場に押しつけられた調理器具がこれらの底面又は側面上で滑ったり、あるいは更に調理器具を洗い場の底面又は側面に押しつける手や腕にやはりかなりの疲労が感じられるため、これらの調理器具が洗いにくいという問題があった。
【０００３】
それで、比較的大きな鍋や食器を流しなどで上記のような問題が生ずるのを避けるために、中央部が周辺部に比べて凹んだ形状に、すなわち、周辺部から中央部に向かって高さが次第に低くなるように上面が形成され、かつ、その上面に同心円状の多数の凹凸の溝が形成されている、鍋又は食器などの洗浄時に使用するための補助台が、提案されている（例えば、特許文献１参照）。
【０００４】
また、大型の食器を流し（シンク）で洗う場合にやはり上記のような問題が生ずるのを避けるために、この食器を支えるための、ゴムのような軟質材で造られたドーナツ状のシンク用洗浄治具も提案されている（例えば、特許文献２参照）。
【特許文献１】登録実用新案公報第３０５５６３２号
【特許文献２】公開実用新案昭−１０３８６３号公報
【考案の開示】
【考案が解決しようとする課題】
【０００５】
しかし、鍋又は食器などの洗浄時に使用する前記の補助台及び前記のシンク用洗浄治具は、比較的大きな食器や鍋のなどを支えなければならないためにかなりの寸法を有し、これらが流しに置かれると調理の邪魔になり、また、これらの補助台又は洗浄治具を流しからどけるには、その都度これらをある程度丁寧に洗わなければならず、これらを置く場所も必要になるという問題があった。
【０００６】
そこで、使用する度ごとに丁寧に洗浄したり、また、流しに折り畳み可能に設置しておくことができ、流しの傍の適当な場所に置き替える必要がない、鍋などを洗うための洗浄用保持具の開発が望まれていた。したがって、本考案が解決しようとする課題は、洗浄し易く、洗浄時に洗浄疲れのなく、しかも使用しないときは、折り畳み可能で邪魔にならない優れた、鍋、フライパン又は釜などの調理器具を洗うための洗浄用保持具を提供することにある。
【課題を解決するための手段】
【０００７】
本考案は、鍋、フライパン又は釜などの調理器具の洗浄用保持具であって、この保持具が、共に水平状態に置かれる一対のコ字状枠体、これらのコ字状枠体のそれぞれの端部に結合することによってこの一対のコ字状枠体を互いに結合させる回動自在の棒状結合部材、前記一対のコ字状枠体のうちの一方のコ字状枠体の端部枠に結合してこのコ字状枠体を水平状態に支持する第一の脚状部材、前記棒状結合部材に結合して一方のコ字状枠体を水平状態に支持する第二の脚状部材、及び前記一対のコ字状枠体のうちの他方のコ字状枠体の中央部分に取り付けられた、垂直の壁面に前記他方のコ字状枠体を着脱自在に固定するための吸盤から構成され、かつ、前記第一の脚状部材が前記一方のコ字状枠体に対して回動自在に取り付けられるとともに、前記第二の脚状部材が前記結合部材に対して回動自在に取り付けられ、そして、前記一方のコ字状枠体が、前記結合部材を介して前記他方のコ字状枠体に対し回動自在に取り付けられていることによって、前記一方のコ字状枠体、前記第一の脚状部材及び前記第二の脚状部材が、いずれも前記他方のコ字状枠体に対して折り畳み可能に、かつ展開可能に形成されていることを特徴とする、前記洗浄用保持具によって、前記の課題を解決している。
【考案の効果】
【０００８】
本考案の鍋、フライパン又は釜などの調理器具の洗浄用保持具は、それが使用されない場合には、前記吸盤を介して前記の壁面に固定されている前記他方のコ字状枠体に重なるように、前記一方のコ字状枠体、前記第一の脚状部材及び前記第二の脚状部材をまとめて簡単に折り畳むことができ、そしてこの洗浄用保持具を使用する場合には、このように折り畳まれた前記一方のコ字状枠体、前記第一の脚状部材及び前記第二の脚状部材を流しの中に簡単に展開することができる。すなわち、本願の洗浄用保持具は簡単な操作によって流しの中に展開させることも、また、流しの中から取り除くことができる。
【考案を実施するための最良の形態】
【０００９】
したがって、本考案の洗浄用保持具を使用する場合には、後で示される実施例で具体的に説明されるように、前記第一の脚状部材及び前記第二の脚状部材をそれぞれ前記一方のコ字状枠体及び前記結合部材に対して回動させるとともに、前記一方のコ字状枠体を前記結合部材及び前記他方のコ字状枠体の両方に対して回動させることによって、前記第一の脚状部材及び前記第二の脚状部材が流しの上に垂直に立てられるとともに、これらの第一の脚状部材及び第二の脚状部材によって前記一方のコ字状枠体および前記結合部材が水平状態に保持されるような状態に、これらの第一の脚状部材、第二の脚状部材、結合部材及び一方のコ字状枠体を、すなわち本考案の洗浄用保持具を流しの中に簡単に展開させることができる。
【００１０】
また、この保持具を使用しない場合には、後で示される実施例で具体的に説明されるように、相互の間でいずれも回動自在な状態で結合しているこれらの第一の脚状部材、第二の脚状部材及び一方のコ字状枠体が前記他方のコ字状枠体に重なるように、これらの第一の脚状部材、第二の脚状部材及び一方のコ字状枠体を折り畳むことによって、これらの第一の脚状部材、第二の脚状部材、結合部材及び一方のコ字状枠体を、すなわち本考案の洗浄用保持具を流しの中から簡単に取り除くことができる。
【００１１】
以下、本考案の実施の形態を添付図面の図１〜４によって、本考案による鍋、フライパン又は釜などの調理器具のための洗浄用保持具の一例を説明する。ここで、本考案の洗浄用保持具は、鍋、フライパン又は釜などの調理器具の洗浄に適するが、これらに限らず、これらと同様の大きさ、形状の器、皿などの洗浄にも用いられることはいうまでもなく、したがって、本願実用新案登録請求の範囲に記載されている調理器具には、これらの器、皿なども含む意味に用いている。図１は、本考案の洗浄用保持具の全体が展開されている状態、すなわち、流しのような洗い場で使用される状態で示されている斜視図であって、この洗浄用保持具１は、一対のコ字状枠体２，２、これらのコ字状枠体２ａ，２ｂのそれぞれの自由端２ａ′、２ａ′及び２ｂ′、２ｂ′は棒状の結合部材４に結合することによって、これらのコ字状枠体２ａ及び２ｂは互いに結合している。
【００１２】
これらの一対のコ字状枠体２、２のうちの一方のコ字状枠体２ａには第一の脚状部材５が垂直状態で結合して、この一方のコ字状枠体２ａを水平状態で支持しており、前記結合部材４には第二の脚状部材６が垂直状態で結合して、この一方のコ字状枠体２ａ及び棒状結合部材４を水平状態で支持するとともに、いずれも水平状態に保たれているこの結合部材４及び前記一方のコ字状枠体２ａと結合している他方のコ字状枠体２ｂも、後述されるごとき吸盤から構成される固定部材９、９を有しており、該固定部材９、９により他方のコ字状枠体２ｂは、水平状態に支持されるように流しの壁に固定される。
【００１３】
前記一対のコ字状枠体のうちの他方のコ字状枠体２ｂの中央部分２ｄには、流しなどの洗い場を囲む垂直な壁面に他方のコ字状枠体２ｂ、したがって洗浄用保持具１を着脱自在に固定するための吸盤７，７が取り付けられている。
【００１４】
洗浄用保持具１は以上のような部材を含み、そして、前記第一の脚状部材５はそれの両端部５ａ及び５ｂが回動自在に前記一方のコ字状枠体２の端部２ｃに取り付けられるとともに、図５に示されるように、前記第二の脚状部材６はそれの両端部には、環状部６ａ及び６ｂを有し、該環状部６ａ及び６ｂが棒状結合部材４に回動自在４に取り付けられている。
【００１５】
また前記一方のコ字状枠体２の両自由端２ａ′及び２ａ′に有する環状結合用部品８，８によって回動自在に棒状結合部材４に結合し、そして前記他方のコ字状枠体２ｂの両自由端２ｂ′及び２ｂ′には棒状結合部材４の軸心４１、４１を嵌入するための嵌入穴を有し、該嵌入穴に前記棒状結合部材４の軸心４１」、４１を嵌合して回動自在に取り付けられている。
【００１６】
このように、洗浄用保持具１では、それぞれの部材が互いに回動自在に結合、または取り付けられているため、前記の吸盤７によって流しＡの壁面に固定された洗浄用保持具１は、これが使用されない場合には、図２の縦断側面図に示されるように、矢印の方向に沿って折り畳み、それによって、図３の縦断側面図に示されるように、流しの壁面に沿った状態で流しの内側に固定された状態で収容することができる。
【００１７】
上記のように折り畳むことができる洗浄用保持具１は、図４の縦断側面図に示されるように、鍋３などの洗浄に使われる場合には、上記のような回動自在の機構によって、図３に示されるような折り畳まれた状態から、図４に示される状態にまで、すなわち一対のコ字状枠体２及び２が第一の脚状部材５及び第二の脚状部材６によって水平に支持されるような状態まで展開させることができる。
【産業上の利用可能性】
【００１８】
本考案の洗い用保持部材１は、以上に説明されたような構成を具え、そしてこの構成によって前記のような有利な作用効果を奏するので、鍋、フライパン又は釜などの調理器具を洗うために使われるだけでなく、これらに類するもの、例えば大きなボールや器などの洗浄にも適し、また、これらの用具にセットしたボールの中で例えば米を研いだり、あるいは豆などを洗ったりする場合にも便利に使用することができる。
【図面の簡単な説明】
【００１９】
【図１】本考案の洗浄用保持具の一例を示す斜視図である。
【図２】流しの壁面に固定された上記の洗浄用保持具が流しの中で折り畳まれていく状態を示す縦断側面図である。
【図３】使用されない間に流しの壁面に沿って、この流しの内側に上記の洗浄用保持具が収容された状態を示す縦断側面図である。
【図４】鍋を洗うために上記の洗浄用保持具が流しの中で使われている状態を示す縦断側面図である。
【図５】上記の洗浄用保持具の回動部を示す平面図である。
【符号の説明】
【００２０】
１  洗浄用保持具
２  コ字状枠体
２ａ  一方のコ字状枠体
２ａ′  一方のコ字状枠体の自由端
２ｂ  他方のコ字状枠体
２ｂ′  他方のコ字状枠体の自由端
２ｃ  一方のコ字状枠体端部
２ｄ  他方のコ字状枠体端部
３  調理器具（鍋）
４  棒状結合部材
４１  棒状結合部材軸心
５  第一の脚状部材
５ａ、５ｂ  第１の脚状部材の端部
６  第２の脚状部材
６ａ、６ｂ  第２の脚状部材の端部
７  吸盤
８  環状結合用部品
９  固定部材
４１  軸芯
Ａ  流し
【図１】
0003120303.tif 000003
【図２】
0003120303.tif 000004
【図３】
0003120303.tif 000005
【図４】
0003120303.tif 000006
【図５】
0003120303.tif 000007